(57)【要約】【課題】  操作部またはクリップを軸筒前部に備えたペン先繰出式の筆記具において、操作部またはクリップの位置を変えずに、ペン先の先端の向きを変えることを可能にする。【解決手段】  ペン先を回動させる回動機構を備え、その回動を複数の適当な角度それぞれにおいて系止し、その角度を維持したまま、軸筒先端開口部からのペン先の突出入および筆記を可能とする構造の筆記具。【選択図】図４
2011168038.tif 000002
【特許請求の範囲】
【請求項１】
軸筒の前部側に設けた操作部を操作することにより、軸筒内に設けた、芯材の先端に備わるペン先が軸筒先端の開口部から突出入する筆記具において、前記ペン先を単体または前記芯材と一体で軸筒長手方向に沿って前記ペン先を通る直線を軸とし回動させる回動機構を備え、その回動を複数の適当な角度それぞれにおいて系止し、その角度を維持したまま、前記開口部からの前記ペン先の突出入および筆記を可能とする構造であることを特徴とする筆記具。
【請求項２】
請求項１に記載した筆記具であって、該回動機構は、該軸筒上に設けた部材を操作することにより該ペン先を回動させることを特徴とする筆記具。
【請求項３】
請求項１に記載した筆記具であって、該回動機構は、該軸筒の前部または主体部に対し、該軸筒の後部または後部以外の一部を回動自在に設置し、その部分を回動させることにより該ペン先を回動させることを特徴とする筆記具。
【請求項４】
請求項１に記載した筆記具であって、該回動機構は、開口した該軸筒後端より露出した該芯材または該芯材と一体の部材を回動させることにより該ペン先を回動させることを特徴とする筆記具。
【発明の詳細な説明】
【技術分野】
【０００１】  本発明は、筆記具のペン先の先端の角度を調整する機構に関する。
【背景技術】
【０００２】
【特許文献１】  実公  昭６０−８０９７９
【特許文献２】  実公  昭４５−２１６０９
【発明の開示】
【発明が解決しようとする課題】
【０００３】  例えば蛍光ペンのようにペン先の先端部が特殊な形体をしている筆記具では、縦方向に筆記する場合と横方向に筆記する場合とでは前記先端部の向きを変えなければ同じ太さの線を引くことはできない。そのため通常は、持つ位置を軸筒円周方向において調整することで対応するわけであるが、前記特許文献に示す筆記具のように操作部やクリップ部が軸筒の前部側に設けられた筆記具の場合、それらが邪魔となりそのような調整を行うことが困難であった。
【課題を解決するための手段】
【０００４】  本発明は、上記課題を解決するためになされたものであり、軸筒の前部側に設けた操作部材を操作することにより、軸筒内に設けた、芯材の先端に備わるペン先が軸筒先端の開口部から突出入する筆記具において、前記ペン先を単体または前記芯材と一体で軸筒長手方向に沿って前記ペン先を通る直線を軸とし回動させる回動機構を備え、その回動を複数の適当な角度それぞれにおいて系止し、その角度を維持したまま、前記開口部からの前記ペン先の突出入および筆記を可能とする構造であることを特徴とする筆記具を提供する。【０００５】  なお、請求項１の発明を詳細に説明すると次のとおりである。「軸筒長手方向に沿って前記ペン先を通る直線を軸とし回動」とは、例えば、実施例１の場合では、図４中の一点鎖線で示した直線を軸とした回動である。
【発明の効果】
【０００６】  本考案により、ペン先の先端を縦書き横書きそれぞれに適した角度に調整する際、軸筒自体は回動させる必要がなくなるため、筆記具を持つ位置を変える必要もなくなり、よって操作部が邪魔になることなく縦書き横書き共に快適な筆記が可能となる。
【実施例１】
【０００７】  本実施例による筆記具の特徴は、軸筒上に設けた部材により軸筒内の芯材を回動させる点にあり、その一例として次のような構造が挙げられる。【０００８】  まずペン先１は、芯材と一体構造であり、芯材後部２は軸筒８の内径よりわずかに小さな径を持つ円筒形をしており、その表面には右利き用角度固定用溝３および左利き用角度固定用溝４がその長手方向に設けられる。なお、この二つの溝は芯材後部２円周方向において９０度ずれた位置に平行に並んだ状態とする。（図１参照）【０００９】  次に角度固定具５であるが、その主体部はその一部が欠けたリング状の形態をしており、内側中央部に大突起６を、内側片端部に小突起７を備える。（図２参照）【００１０】  次に軸筒８であるが、その円周方向に延びる角度調整用スリット９が開けられており、その角度調整用スリット９の延長上に２つの凹部１０を備える。（図３参照）【００１１】  なお、それぞれのサイズおよび位置関係であるが、まず角度調整用スリット９は、設置した際に大突起６が軸筒円周方向にほぼ９０度の範囲をスライドできる長さに設ける。また２つの凹部１０は、大突起６が角度調整用スリット９の両端それぞれに位置した時に小突起７が収まるそれぞれの位置に設ける。（図６参照）【００１２】  また二つの角度固定用溝の長さは、大突起６が溝に収まった状態で芯材を軸筒長手方向にスライドさせた際、ペン先１が完全に軸筒８内に収納された位置から軸筒８先端開口部より突出し筆記可能な位置までを往復可能な長さとする。（図４，５参照）【００１３】  そして各部材の設置に当たっては、大突起６が角度調整用スリット９を通り軸筒８内において芯材後部２の右利き用角度固定用溝３に収まるように角度固定具５を軸筒８上に嵌める。（図６参照）【００１４】  使用方法は、軸筒８を固定し、角度固定具５に対し軸筒円周方向に力をかけると、小突起７が凸部１０の一方から外れ、角度固定具５が芯材およびペン先１共々回動し、ほぼ９０度回動した位置にて小突起７が凹部１０の他方に収まりその回動が系止される。その結果、ペン先１の先端の向きもほぼ９０度変化し、その角度を維持したまま軸筒８先端開口部よりペン先１を突出させ筆記し、軸筒８内へ収納することが可能となる。【００１５】  なお、蛍光ペンの場合、使用者が左利きであれば、縦に線を引くのに適したペン先の先端の向きは右利きの場合とは反対の向きとなる。本実施例による筆記具では、角度固定具５を軸筒８より一旦外し、左利き用角度固定用溝４に大突起６が収まるよう軸筒８に角度固定具５を嵌め直すことで対応可能となる。また、左利き用に溝を余計に設けるのではなく、ペン先１を芯材から引き抜き、ペン先の先端の向きを左利き用に合うよう差し直すといったものでもよい。
【実施例２】
【００１６】  本実施例による筆記具の特徴は、軸筒の後部ごと軸筒内の芯材を回動させる点にあり、その一例として次のような構造が挙げられる。【００１７】  まずペン先１２は、芯材と一体構造であり、芯材後部１３は軸筒後部１６の内径よりわずかに小さな径を持つ円筒形をしており、その表面には角度固定用溝１４が長手方向に設けられる。（図７参照）【００１８】  次に軸筒であるが、軸筒後部１６と軸筒前部１５は独立したつくりとなっており、軸筒後部１６の爪２１と軸筒前部１５の溝２２により、円周方向への回動自在に接続される。そして接続部分となるそれぞれの箇所には、凸部１８と凹部１９のそれぞれが円周方向上９０度ごとに４個ずつ設けられ、その回動を９０度ごと計４箇所にて系止可能としている。なおこの凸部１８は、ある程度弾力性を持つ素材を用いる必要がある。また軸筒後部１６内面の適当な位置には突起２０が設けられる。（図８，９参照）【００１９】  なお、角度固定用溝１４の長さと突起２０の設置位置の関係であるが、突起２０が角度固定用溝１４に収まった状態で芯材を軸筒長手方向にスライドさせた際、ペン先１２が完全に軸筒１７内に収納された位置から軸筒１７先端開口部より突出し筆記可能な位置までを往復可能となるように設ける。（図１０，１１参照）【００２０】  芯材の設置は、軸筒後部１６内において角度固定用溝１４に突起２０が収まるように設置する。（図１２参照）【００２１】  使用方法は、軸筒前部１５を固定し、軸筒後部１６に対し軸筒円周方向に力をかけると、軸筒後部１６と軸筒前部１５の接合部の凸部１８が凹部１９から外れ、軸筒後部１６が芯材およびペン先１共々回動し、９０度回動した位置にて、凸部１８が一つ隣の凹部１９に収まることによりその回動が系止される。その結果、ペン先の先端の向きも９０度変化し、その角度を維持したまま軸筒１７先端開口部よりペン先１２を突出させ筆記し、軸筒１７内へ収納することが可能となる。
【実施例３】
【００２２】  本実施例による筆記具の特徴は、芯材を直接回動させる点にあり、その一例として次のような構造が挙げられる。【００２３】  まずペン先２３は芯材と一体構造であり、芯材後部２６は９０度の間隔で４角の出っ張った角度維持部２４と円柱形のツマミ部２５とから成る。（図１３参照）【００２４】  次に軸筒２７であるが、その後端は開口しており、軸筒２７後部の内面上に８本の凸部により４本の角度固定用溝２８を形成する。（図１４，１５参照）【００２５】  なお角度固定用溝２８の長さは、その溝に収まった角度維持部２４が、芯材を軸筒長手方向にスライドさせた際、ペン先２３が完全に軸筒２７内に収納された位置から軸筒２７先端開口部より突出し筆記可能な位置までを往復可能となる長さとする。（図１６，１７参照）【００２６】  なお、角度固定用溝２８を形成する凸部と、芯材後部の角度維持部２４には、ある程度の弾力性を持つ素材を用いる必要がある。【００２７】  そして各部材の設置に当たっては、軸筒２７内において、角度維持部２４の４角の出っ張り部分それぞれが、４本の角度固定用溝２８それぞれに収まるように設置する。（図１８参照）【００２８】  使用方法は、軸筒２７を固定し、軸筒２７後端開口部より突き出たツマミ部２５に対し円周方向に力をかけると、角度維持部２４の４角の出っ張り部分それぞれが４本の角度固定用溝２８それぞれから外れ、芯材およびペン先１は回動し、９０度回動した位置にて、角度維持部２４の４角それぞれが、一つ隣の角度固定用溝２８それぞれに収まり、その回動が系止される。その結果、ペン先２３の先端の向きも９０度変化し、その角度を維持したまま軸筒２７先端開口部よりペン先２３を突出させ筆記し、軸筒２７内へ収納することが可能となる。（図１８参照）【００２９】  なお実施例２および実施例３による場合、９０度ごと３箇所以上においてペン先の先端の角度の調整が可能であるため、特に左利きの使用者に対する特別な機構を設ける必要はない。また、それぞれの回動を９０度より小さな角度ごとに系止可能とすれば、ペン先の先端の角度はより細かな調整が可能となる。またどの実施例もその構造上、ペン先を突出した状態においてもペン先の先端の角度を調整することは可能である。
【図面の簡単な説明】
【００３０】
【図１】  実施例１の、ペン先および芯材の側面図である。
【図２】  実施例１の、角度固定具の正面図である。
【図３】  実施例１の、軸筒の側面図である。
【図４】  実施例１の、ペン先を横書きに適した角度に系止し露出した状態の側面図である。
【図５】  実施例１の、ペン先を縦書きに適した角度に系止し露出した状態の側面図である。
【図６】  図４から図５への変化を、Ｘ−Ｘ線断面により示した動作図である。
【図７】  実施例２の、ペン先および芯材の側面図である。
【図８】  実施例２の、軸筒の前部（一部）の側面および後部の断面図である。
【図９】  実施例２の、軸筒の前部と後部を接続した状態での接続部の断面図である。
【図１０】  実施例２の、ペン先を横書きに適した角度に系止し露出した状態の側面図である。
【図１１】  実施例２の、ペン先を縦書きに適した角度に系止し露出した状態の側面図である。
【図１２】  図１０から図１１への変化を、Ｙ−Ｙ線断面により示した動作図である。
【図１３】  実施例３の、ペン先および芯材の斜視図である。
【図１４】  実施例３の、軸筒後部（一部）の断面図である。
【図１５】  実施例３の、軸筒後端の正面図である。
【図１６】  実施例３の、ペン先を横書きに適した角度に系止し露出した状態の側面図である。
【図１７】  実施例３の、ペン先を縦書きに適した角度に系止し露出した状態の側面図である。
【図１８】  図１６から図１７への変化を示す動作図である。
【符号の説明】
【００３１】１    ペン先
２    芯材後部
３    右利き用角度固定用溝
４    左利き用角度固定用溝
５    角度固定具
６    大突起
７    小突起
８    軸筒
９    角度調整用スリット
１０  凹部
１１  操作部
１２  ペン先
１３  芯材後部
１４  角度固定用溝
１５  軸筒前部
１６  軸筒後部
１７  軸筒
１８  凸部
１９  凹部
２０  突起
２１  爪
２２  溝
２３  ペン先
２４  角度維持部
２５  ツマミ部
２６  芯材後部
２７  軸筒
２８  角度固定用溝
２９  操作部
３０  操作部
【図１】
2011168038.tif 000003
【図２】
2011168038.tif 000004
【図３】
2011168038.tif 000005
【図４】
2011168038.tif 000006
【図５】
2011168038.tif 000007
【図６】
2011168038.tif 000008
【図７】
2011168038.tif 000009
【図８】
2011168038.tif 000010
【図９】
2011168038.tif 000011
【図１０】
2011168038.tif 000012
【図１１】
2011168038.tif 000013
【図１２】
2011168038.tif 000014
【図１３】
2011168038.tif 000015
【図１４】
2011168038.tif 000016
【図１５】
2011168038.tif 000017
【図１６】
2011168038.tif 000018
【図１７】
2011168038.tif 000019
【図１８】
2011168038.tif 000020